(57)【特許請求の範囲】
【請求項１】
容器に装着される、上蓋下端面との当接面を有するキャップ本体と、該キャップ本体にヒンジ結合された上蓋と、引きちぎり可能な接続部を介してキャップ本体に連結された改竄防止バンドと、前記改竄防止バンドと上蓋との係止手段と、を備えているヒンジキャップにおいて；
前記改竄防止バンドが、前記当接面の外周縁に沿って円弧状に離間して配設され、更に、前記バンドの両端部を拡径して、前記バンドの両端部の挟み込み防止間隔を形成するとともに、前記バンドの下端面を、前記当接面と同一平面上に位置せしめたことを特徴とするヒンジキャップ。
【請求項２】
容器に装着される、上蓋下端面との当接面を有するキャップ本体と、該キャップ本体にヒンジ結合された上蓋と、引きちぎり可能な接続部を介してキャップ本体に連結された改竄防止バンドと、前記改竄防止バンドと上蓋との係止手段と、を備えているヒンジキャップにおいて；
前記係止手段が、改竄防止バンドの係止部に設けた係止爪と、前記上蓋の摘み部の係合部に設けられた狭幅縦凹部と、から構成され、前記改竄防止バンドが、前記当接面の外周縁に沿って円弧状に離間して配設され、更に、前記バンドの両端部を拡径して、前記バンドの両端部の挟み込み防止間隔を形成するとともに、前記バンドの下端面を前記当接面と同一平面上に位置せしめたことを特徴とするヒンジキャップ。
【請求項３】
容器に装着される、上蓋下端面との当接面を有するキャップ本体と、該キャップ本体にヒンジ結合された上蓋と、引きちぎり可能な接続部を介してキャップ本体に連結された改竄防止バンドと、前記改竄防止バンドと上蓋との係止手段と、を備えているヒンジキャップにおいて；
前記係止手段が、改竄防止バンドの係止部に設けた係止爪と、前記上蓋の摘み部の係合部に設けられた狭幅縦凹部と、から構成され、
前記改竄防止バンドが、前記当接面の外周縁に沿って円弧状に離間して配設され、更に、
前記止バンドの両端部を拡径して、前記バンドの両端部の挟み込み防止間隔を形成するとともに、前記バンドの下端面を前記当接面と同一平面上に位置せしめ、
又、前記当接面の、上蓋の摘み部に対応する部分を欠如せしめて指用凹部を形成したことを特徴とするヒンジキャップ。
【請求項４】
前記キャップ本体には、分別回収のための縦方向弱化線と周方向弱化線とが設けられていることを特徴とする請求項１、２、又は、３記載のヒンジキャップ。
【発明の詳細な説明】
【技術分野】
【０００１】
この発明は、容器の口部に装着して用いる、ヒンジキャップに関するものであり、更に述べると、改竄防止バンドの付いたヒンジキャップに関するものである。
【背景技術】
【０００２】
従来のヒンジキャップには、悪戯等による不正開封を防止するため、改竄防止バンドが設けられている。このヒンジキャップでは、下蓋と接続部で連結して改竄防止バンドを一体成型し、開口用爪部及び上蓋と下蓋の接面部周囲を被覆し、かつ、上蓋の外周凸部と前記改竄防止バンドの凹部が嵌合し、引手部をもって引いて、前記接続部を切断除去しなければ上蓋を開くことができない構造になっている（例えば、特許文献１参照）。
【０００３】
【特許文献１】実開平２−１２９０５７号公報
【発明の開示】
【発明が解決しようとする課題】
【０００４】
従来例では、次のような問題がある。
１：改竄防止バンドと上蓋との隙間に指を入れて押し広げ、該バンドを切り離さずに係合を解除して痕跡を残さずに開蓋される恐れがある。そのため、不正開封した後に閉蓋すると、該バンドは元の状態に戻ってしまうので、不正開封したことがわからないことがある。
２：キャップの成形段階で、金型内に溶融樹脂を射出し、冷却した後該金型内から取り出すと、該キャップの前記バンドが熱収縮により内方に倒れ込む。その状態で上蓋を閉じてセットする際に、該バンドの両端が上蓋と下蓋の間に挟み込まれることがある。
３：従来のキャップは、改竄防止バンドの引手部を持って引き、接続部（ブリッジ）を切断除去した後に、開口用爪部に指をかけて上方に押し上げなければならない。この様に前記バンドの引手部の引っ張る第１アクションと、上蓋を開ける第２アクションとが必要となるので、面倒であり、迅速に開蓋することができない。
【０００５】
この発明は、上記事情に鑑み、不正開封を防止すると共に、改竄防止バンドの挟み込みを防止することを目的とする。他の目的は、開封を簡単に行える様にすることである。
【課題を解決するための手段】
【０００６】
この発明は、容器に装着される、上蓋下端面との当接面を有するキャップ本体と、該キャップ本体にヒンジ結合された上蓋と、引きちぎり可能な接続部を介してキャップ本体に連結された改竄防止バンドと、前記改竄防止バンドと上蓋との係止手段と、を備えているヒンジキャップにおいて；前記改竄防止バンドが、前記当接面の外周縁に沿って円弧状に離間して配設され、更に、前記バンドの両端部を拡径して、前記バンドの両端部の挟み込み防止間隔を形成するとともに、前記バンドの下端面を、前記当接面と同一平面上に位置せしめたことを特徴とする。
【０００７】
この発明は、容器に装着される、上蓋下端面との当接面を有するキャップ本体と、該キャップ本体にヒンジ結合された上蓋と、引きちぎり可能な接続部を介してキャップ本体に連結された改竄防止バンドと、前記改竄防止バンドと上蓋との係止手段と、を備えているヒンジキャップにおいて；前記係止手段が、改竄防止バンドの係止部に設けた係止爪と、前記上蓋の摘み部の係合部に設けられた狭幅縦凹部と、から構成され、前記改竄防止バンドが、前記当接面の外周縁に沿って円弧状に離間して配設され、更に、前記バンドの両端部を拡径して、前記バンドの両端部の挟み込み防止間隔を形成するとともに、前記バンドの下端面を前記当接面と同一平面上に位置せしめたことを特徴とする。
【０００８】
この発明は、容器に装着される、上蓋下端面との当接面を有するキャップ本体と、該キャップ本体にヒンジ結合された上蓋と、引きちぎり可能な接続部を介してキャップ本体に連結された改竄防止バンドと、前記改竄防止バンドと上蓋との係止手段と、を備えているヒンジキャップにおいて；前記係止手段が、改竄防止バンドの係止部に設けた係止爪と、前記上蓋の摘み部の係合部に設けられた狭幅縦凹部と、から構成され、前記改竄防止バンドが、前記当接面の外周縁に沿って円弧状に離間して配設され、更に、前記止バンドの両端部を拡径して、前記バンドの両端部の挟み込み防止間隔を形成するとともに、前記バンドの下端面を前記当接面と同一平面上に位置せしめ、又、前記当接面の、上蓋の摘み部に対応する部分を欠如せしめて指用凹部を形成したことを特徴とする。
【００１０】
この発明のキャップ本体には、分別のための縦方向弱化線と周方向弱化線とが設けられていることを特徴とする。
【発明の効果】
【００１１】
この発明は、前記係止手段が、改竄防止バンドの係止部に設けた係止爪と、前記上蓋の摘み部の係合部に設けられた狭幅縦凹部と、から構成されているので、前記バンドを指でこじ開けようとすると、接続部が切れる。そのため、確実に不正開封したことがわかる。
【００１２】
この発明は、前記改竄防止バンドの両端部が、前記当接面の外周縁から挟み込み防止間隔離れているので、ヒンジキャップ成形後に上蓋をセットする際に、該バンドの両端部を挟み込むことがない。
【００１３】
この発明は、前記当接面の、上蓋の摘み部に対応する部分を欠如せしめて指用凹部を形成したので、バンドの突出量を最小にできるとともに、確実に指をかけることができる。
【００１４】
この発明の改竄防バンドの下端面は、当接面と同一平面上に位置しているので、摘み部の下端面に指をかければ、同時に前記下端面にも前記指がかかる。そのため、前記指で上蓋を押し開けると、同時に前記バンドの接続部が切れるので、所謂ワンアクションで開封及び開蓋することができる。
【発明を実施するための最良の形態】
【００１５】
この発明の第１実施の形態を図１〜図４により説明する。
ヒンジキャップＨＣは、合成樹脂により一体成形され、キャップ本体１と、上蓋３０と、前記キャップ本体１と上蓋３０とを連結するヒンジＨと、から構成されている。
【００１６】
キャップ本体１は、嵌合筒２と、嵌合筒２に連続するシール筒３と、を備えている。嵌合筒２には、容器の口部４を挟持する、環状突起１２付き外筒５及び内筒６と、遮断壁７により閉鎖されている注筒９と、該注筒９の外側に設けられた係止突条１０と、を備えている。
【００１７】
該遮断壁７には、環状の裂溝１４が設けられ、該裂溝１４の内側には、プルリング１５が立設されている。シール筒３の外径は、外筒５の外径より大きく形成されている。そのため、両筒３，５は段状になって連続しており、外筒５の外周面５ａは、当接面１６を介してシール筒３の外周面３ａに連続している。前記シール筒３には、図示しないが、分離のための縦方向弱化線と周方向弱化線とが設けられている。
【００１８】
この当接面１６は、閉蓋時に上蓋３０の下端面３０ａが接触する面である。このシール筒３の、上蓋３０の摘み部３１に対応する部分には、指用凹部１８が設けられている。
【００１９】
外筒５の外側には、改竄防止バンド２０が設けられているが、該バンド２０は、当接面１６の外周縁に沿って離間して配設されている。前記バンド２０は、接続部Ｂを介してシール筒３の上端縁に接続され、その下端面２０ａは、前記当接面１６と同一平面上に位置していている。なお、前記接続部Ｂは、前記バンド２０が引かれた場合に裂き切れる部分であり、例えば、この接続部としてブリッジが用いられている。
【００２０】
前記バンド２０は、円弧状であり、その中心角度θは、２４０度であるが、この中心角度θは、１８０度以上が好適である。該バンド２０の両端部２０ｂは、拡径され、挟み防止間隔ｗをおいて前記嵌合筒２と対向している。
【００２１】
前記バンド２０の係止部２０ｃの内周面には、下向きの係止爪２０ｄが突設されている。この係止爪２０ｄの幅は、狭く、例えば、4．9mmに形成されている。前記バンド２０の係止部２０ｃに対応する部分には、接続部Ｂが設けられておらず、該係止部２０ｃと当接面１６との間は、空間部２６となっており、この空間部２６は、前記指用凹部１８と連通している。
【００２２】
上蓋３０の天面３２には、閉蓋時に注筒９の先端部と当接する内側及び外側シールリング３３，３４が突設され、スカート３５の内周面には、閉蓋時に係止突条１０と係合する係合突条３６が設けられている。
【００２３】
摘み部３１は、スカート３５の外周面の、ヒンジＨの反対側に設けられ、閉蓋時に前記係止部２０と対向する。この摘み部３１は、小円弧状の外周面を有する突条体であり、その中央の係合部には、狭幅縦凹部３８が一体に形成されている。この凹部３８は、図４に示す如く、凹形状となっており、前記係止爪２０ｄが挿入でき、かつ、指が入らない程度の大きさ、例えば、5mmに形成される。該溝３８の底面３８ａは、改竄防止バンド２０の中央頂部ライン２４と同一面上に位置している。
【００２４】
次に、本実施形態の作動について説明する。ヒンジキャップＨＣを開蓋状態で成形後、上蓋３０を閉蓋方向に回転させてセットする。この時、前記係止爪２０は、狭幅縦凹部３８に入り係止すると共に、前記バンド２０の両端部２０ｂは、前記スカート３５から離間されているので、挟み込まれることはない。
【００２５】
液体等を充填した容器の口部４に、改竄防止バンド２０付きヒンジキャップＨＣを打栓装着し、図３の状態にする。
【００２６】
悪戯開封の場合
不正開封しようとする場合には、前記バンド２０を指でこじ開けて係止爪２０ｄと狭幅縦凹部３８との係合を解除しようとする。しかし、該溝３８の幅が狭いので、指が入らず、無理にこじ開けようとすると接続部Ｂが裂き切れてしまう。そのため、不正開封を知ることができる。
【００２７】
正常開封の場合
最初に開蓋使用とする場合には、摘み部３１の下端面に指を掛ける。そうすると、該指は、前記バンド２０の下端面２０ａにも同時に当接する。この時、シール筒３には指用凹部１８が設けられているので、摘み部３１と前記バンド２０をそれ程外方に突出させなくとも、確実に指を当接させることができる。
【００２８】
この状態で指を上方に押し上げると、接続部Ｂが切れると共に、上蓋３０は当接面１６から離れ、開蓋状態となる。即ち、ワンアクションだけで開蓋できるので、開蓋作業が容易となる。
【００２９】
次にプルリング１５を指で引っ張ると、裂溝１４が切り裂かれ遮断壁７が除去され、開口状態となる。
容器を手で握って傾けると、注筒９を介して内容物が器外に流出する。所望量注出した後、該容器を元の位置に戻した後、上蓋３０の天面３２を指で閉蓋方向に押して閉蓋する。
更に、内容物を使い切ってしまった後、分別回収のため、外筒５に設けた縦及び周方向弱化線を引き裂き、キャップ本体１と容器とを分離する。
【００３０】
この発明の第２実施形態を図５により説明するが、図１〜図４と同一図面符号はその名称も機能も同一である。
この実施形態と前記実施形態との主な相違は、シール筒を備えていないことである。この実施の形態では、当接面として、シール筒と嵌合筒との段部上面の代わりに、外筒５の上端面４０が用いられ、又、改竄防止リング２０の接続部は、外筒５の上端部に固定される。
【図面の簡単な説明】
【００３１】
【図１】本発明の第１実施の形態を示す図で、開蓋状態における平面図である。
【図２】正面図である。
【図３】閉蓋時の縦断面図である。
【図４】閉蓋時の拡大正面図である。
【図５】本発明の第２実施の形態を示す図で、閉蓋状態における拡大縦断面図である。
【符号の説明】
【００３２】
１    キャップ本体
１６  当接面
１８  指用凹部
２０  改竄防止バンド
２０ａ下端面
２０ｂ両端部
２０ｃ係止部
２０ｄ係止爪
３０  上蓋
３１  摘み部
３８  狭幅縦凹部
【図１】
0004621419.tif 000002
【図２】
0004621419.tif 000003
【図３】
0004621419.tif 000004
【図４】
0004621419.tif 000005
【図５】
0004621419.tif 000006